(57)【特許請求の範囲】
【請求項１】
排水主管部および排水枝管部を有する合流排水管継手の排水主管部同士を回動自在に連結した排水ヘッダーと、
前記排水主管部を支持する排水主管部支持部材、前記排水枝管部を支持する排水枝管部支持部材を積載し、かつ前記排水ヘッダーを床面に支持する支持架台とからなる排水管ユニット。
【請求項２】
支持架台は、排水ヘッダー、排水主管部支持部材および排水枝管部支持部材を積載する部材積載部と、部材積載部の床面からの設置高さを自在に保持する床面設置部とからなる請求項１記載の排水管ユニット。
【発明の詳細な説明】
【０００１】
【発明の属する技術分野】
本発明は、建物内の排水管システムにおいて、合流排水横枝管と排水横枝管とを接続する排水管ユニットに関するものである。
【０００２】
【従来の技術】
建築物の同一階における排水管（排水横枝管）の配管方式として、以前はコンクリートスラブ下面と下階天井面との間の空間に排水管を敷設する床下配管方式が主流であった。
近年、特に集合住宅では、コンクリートスラブ上面と仕上げ床面との間に配管設置スペースを設け、その配管設置スペースに排水配管を敷設するという、いわゆる床上配管方式が多くなってきている。この床上配管は、下階に影響を与えずに施工することができるため、居住内のレイアウト変更の際、特に大きなメリットがある。
【０００３】
一方、従来、集合住宅での排水方式は、一住戸に対して複数本の排水立管を立て、それらの付近に各種の衛生器具を配置し、当該衛生器具を排水横枝管によって前記排水立管に接続する方法を採っていた。この方式は、住戸外配管シャフトスペースにはもちろん、住戸内占有スペースにも排水立管専用のシャフトスペースを設けて、排水立管を立てるため、住戸内専用スペースが狭くなるという欠点があった。
【０００４】
そこで、近年は合流排水管継手の搬送能力の向上、住戸内専用スペースの節約、コストダウンの目的として、それぞれの衛生器具の排水を合流排水横枝管に集めて、住戸外配管シャフトスペースに立ててある１本の排水立管に接続する合流排水方式を採用することが多くなってきている。
【０００５】
最近、集合住宅において居住者が同じ住居で長く生活する際、家族構成の変化等の理由により居住内のレイアウト変更を行う場合が増えているが、当然水廻りに関しても位置変更の対象となっている。しかし、衛生器具の移設に関しては、複数本の排水立管を立てる方式では、現在接続している衛生器具の排水量に見合った口径の排水立管であるため、衛生器具の移設は現在の位置付近に限定されてしまう。また、合流排水方式においても、一部の衛生器具のみを移設するに際して、例えば合流排水横枝管を跨いだ位置に移設する場合、その衛生器具の排水横枝管が接続されている合流排水横枝管継手の排水横枝管接続口を反対方向に向ける必要があるため、合流排水横枝管継手を合流排水横枝管から一旦外して、反対方向に継手の向きを変えて再度接続しなければならず、作業上の問題となっていた。また、移設位置によっては、移設位置付近の合流排水横枝管を切断し、新たに合流排水管継手を間に接続して衛生器具からの排水を合流させなければならず、この点でも問題があった。
【０００６】
そこで、上記各問題点を解消する方法として、複数個の合流排水管継手を当該継手のそれぞれが個々に回動自在となるように連結した排水ヘッダーを、合流排水立管付近に設置し、排水ヘッダーの排水主管部の下流側接続口を合流排水横枝管を介して合流排水管継手に接続し、各衛生器具の排水横枝管はそれぞれ単独で、排水ヘッダーの合流排水管継手の合流部に接続する排水ヘッダー方式が開発された。これにより、衛生器具の移設の自由度が飛躍的に向上した。
【０００７】
【発明が解決しようとする課題】
従来の排水ヘッダーによる配管方式では、排水ヘッダーおよびそれに付随する配管のコンクリート床面との支持は、排水ヘッダーの上流部接続口付近および下流部接続口付近、排水ヘッダー排水横枝管の排水横枝管接続口付近に最低限必要であり、前記排水ヘッダーの廻りに配管支持箇所が集中しているため、施工能率が非常に悪いという課題があった。
【０００８】
一般に、横方向に敷設する排水管は、排水を自然流下によって搬送するために、それぞれの配管口径に見合った配管勾配を設ける必要がある。
当然、排水ヘッダーにおいても、そのヘッダ軸が水平方向に対して所定の勾配になるように設置する必要がある。また、排水ヘッダーの各排水枝管部に関しても、その排水枝管部の排水横枝管接続口部からヘッダ軸に向かう部分にも所定の勾配を設ける必要がある。
現場で、既存の合流排水管継手を連結して排水ヘッダーシステムを施工する場合、以上の条件を満たすように排水ヘッダーを支持することは、熟練を要し、また、その勾配調整に多くの時間を費やすために、作業性が非常に悪いという課題があった。
また、住居内のレイアウト変更などの改修時において、既存の衛生器具を排水ヘッダーのヘッダ軸線を跨いだ位置まで移設した場合、その衛生器具の排水横枝管を接続していた排水ヘッダーの合流排水管継手を回転させて、その排水枝管部を反対側に向けてから排水横枝管を敷設する必要があるが、このとき、排水枝管部の配管勾配を適正勾配に調整する手間がかかって作業性が悪いという課題があった。
【０００９】
本発明は上記のような課題を解決するためになされたもので、現場において、複数個の合流排水管継手を組み合わせることによる排水ヘッダーの組み作業や、排水ヘッダー廻りの床面との支持材の取付作業を省略でき、配管施工時間の短縮を図ることができる排水管ユニットを提供することを目的とする。
【００１０】
また、本発明は、排水ヘッダー排水主管部の配管勾配を現場施工前に予め設定しておくことができると共に、コンクリートスラブ上面に対する排水ヘッダー設置高さや、コンクリートスラブ上面の水平精度誤差についても簡単に調整することができ、また、排水横枝管の配管勾配についても適正に確保でき、配管施工する作業員に熟練を必要とせずに、配管施工を簡単に能率よく行うことができる排水管ユニットを提供することを目的とする。
【００１１】
さらに、本発明は、衛生器具の移設など水廻りの模様替えに際しても必然的に適正な配管勾配に設置できて、配管施工作業の大幅な効率化が図れる排水管ユニットを提供することを目的とする。
【００１２】
【課題を解決するための手段】
本発明に係る排水管ユニットは、排水主管部および排水枝管部を有する合流排水管継手の排水主管部同士を回動自在に連結した排水ヘッダーと、前記排水主管部を支持する排水主管部支持部材、前記排水枝管部を支持する排水枝管部支持部材を積載し、かつ前記排水ヘッダーを床面に支持する支持架台とからなるものである。
【００１３】
本発明に係る排水管ユニットの支持架台は、排水ヘッダー、排水主管部支持部材および排水枝管部支持部材を積載する部材積載部と、部材積載部の床面からの設置高さを自在に保持する床面設置部とからなるものである。
【００１４】
【発明の実施の形態】
以下、本発明の実施の一形態を説明する。
実施の形態１．
図１は本発明の実施の形態１による排水管ユニットを示す平面図、図２は図１の側面図、図３は図２の勾配調整部の拡大断面図である。
図において、１は複数個（図示では３個）の合流排水管継手であり、これらの合流排水管継手１は、それぞれの排水主管部１ａと、当該排水主管部１ａのそれぞれから所定の角度で同一方向に傾斜分岐する排水枝管部１ｂとを一体に有するＹ型継手構造となっており、その複数個の合流排水管継手１における排水主管部１ａ同士を回動自在に連結することで排水ヘッダー２が組み立て構成されるようになっている。
【００１５】
３は前記排水ヘッダー２を建築物の床面（例えばコンクリートスラブ上面）に支持するための支持架台であり、この支持架台３は、前記床面に設置する平面矩形状の平板状部材からなる床面設置部４と、この床面設置部４の四隅に配置されたジャッキ機構５と、このジャッキ機構５を介して前記床面設置部４上に支持された部材積載部６とを備え、その部材積載部６上には、前記排水主管部１ａを支持する排水主管部支持部材７と、前記排水枝管部１ｂを支持する排水枝管部支持部材８ａ，８ｂとが一体に設けられている。ここで、前記排水枝管部支持部材８ａ，８ｂは、排水ヘッダー２のヘッダ軸線２ａを挟む対称位置に設けられ、その排水枝管部支持部材８ａ，８ｂのいずれかを選択して前記排水枝管部１ｂを載置するものである。なお、前記床面設置部４の少なくとも四隅部には、コンクリート床に埋設されたアンカーボルト（図示せず）に固定するための取付片部４ａが一体に設けられている。
【００１６】
以上において、排水ヘッダー２および排水ヘッダー２と支持架台３は工場で組み立てられるもので、その組み立てについて以下に説明する。
まず、複数個の合流排水管継手１における排水主管部１ａ同士を同一軸線上で回動自在にして排水ヘッダー２を組み立て、その排水ヘッダー２における両サイドの合流排水管継手１の排水主管部１ａを部材積載部６上の排水主管部支持部材７に載置すると共に、前記各合流排水管継手１のそれぞれの排水枝管部１ｂを前記部材積載部６上の排水枝管部支持部材８ａ，８ｂのいずれかに載置する。この状態において、前記排水主管部支持部材７上に載置された合流排水管継手１の排水主管部１ａをＵボルト９で固定する。
【００１７】
以上のようにして、工場で排水ヘッダー２が組み立てられ、その排水ヘッダー２と支持架台３とがユニットとして工場で組み立てられる。その組み立て状態において、排水ヘッダー２の排水主管部１ａは、支持架台３の排水主管部支持部材７によって所定の配管勾配に必然的に設定されるものである。従って、排水ヘッダー２の両サイドの排水主管部１ａを支持する両サイドの排水主管部支持部材７，７において、その一方の排水主管部支持部材７と他方の排水主管部支持部材７とは高さが異なるものである。
【００１８】
そして、上述のように排水ヘッダー２および支持架台３をユニットとして工場で組み立てられた排水管ユニットは、配管現場に搬送される。その配管現場では、排水ヘッダー２における排水主管部１ａの勾配上端側で開口する当該排水主管部１ａの開口端部に上流側の合流排水管（図示せず）が接続され、かつ、前記排水ヘッダー２における排水主管部１ａの勾配下端側で開口する当該排水主管部１ａの開口端部に下流側の合流排水管（図示せず）が接続される。また、前記排水ヘッダー２の各排水枝管部１ｂの開口端部には各種衛生器具からの排水横枝管が接続される。
【００１９】
以上において、衛生器具の移設など水廻りの模様替えを行う際に、排水ヘッダー２の排水枝管部１ｂの方向を回転させる必要が生じた場合には、その排水枝管部１ｂを今まで支持させていた排水枝管部支持部材８ａまたは８ｂとは反対側の排水枝管部支持部材８ｂまたは８ａに載せるだけで適正な配管に設置でき、配管施工作業の大幅な効率化が図れる。
【００２０】
実施の形態２．
図４はこの発明の実施の形態２による排水管ユニットを示す平面図、図５は図４の側面図、図６は図４の勾配調整部の拡大断面図であり、図１から図３と同一または相当部分には同一符号を付して重複説明を省略する。
前記実施の形態１では、各合流排水管継手１をＹ型継手構造とし、その排水主管部１ａから所定の角度で分岐する排水枝管部１ｂの回転位置で当該排水枝管部１ｂを支持するための排水枝管部支持部材８ａ，８ｂを配置したが、この実施の形態２では、前記各合流排水管継手１をＳＴ型継手構造とし、その排水主管部１ａから直角方向に分岐する排水枝管部１ｂの回転位置で当該排水枝管部１ｂを支持するための排水枝管部支持部材８ａ，８ｂを配置して構成したものである。
従って、この実施の形態２によれば、上記実施の形態１の場合と同様の作用効果が得られることに加え、支持架台３の幅を縮小化できるという効果がある。
【００２１】
以上説明した実施の形態１および実施の形態２において、合流排水管継手１の接続個数は幾つであってもよい。
また、前記各実施の形態では、排水枝管部支持部材８ａ，８ｂを、排水ヘッダー２の排水枝管部１ｂがどちらの回転方向に向いても対応できるように、排水主管部１ａを挟む両側位置に配置したが、その排水枝管部支持部材８ａ，８ｂは部材積載部６に対して着脱可能な取付構造とし、排水枝管部１ｂの方向に応じて排水枝管部支持部材８ａ，８ｂを前記部材積載部６に付け替えるようにしてもよく、この場合、部品点数を削減できて汎用性が得られるという効果がある。
【００２２】
さらに、排水ヘッダー２の材質は、鋼製、鋳鉄製、塩化ビニル等の樹脂製など、通常の配管材に使用される材料であれば、いずれであってもよい。
さらに、排水ヘッダー２において、合流排水管継手１同士は、ゴムリング接続やメカニカル接続、またはハウジング継手を用いた接続など、それぞれの合流排水管継手１が単独で回動自在であれば、どのような接続構造であってもよい。さらに、排水ヘッダー２の排水枝管部接続口と排水横枝管との接続は、ゴムリング接続やメカニカル接続、またはハウジング継手を用いた接続など、着脱自在な接続手段であれば、いずれを用いてもよい。
【００２３】
【発明の効果】
以上のように、この発明によれば、排水主管部および排水枝管部を有する合流排水管継手の排水主管部同士を回動自在に連結した排水ヘッダーと、前記排水主管部を支持する排水主管部支持部材、前記排水枝管部を支持する排水枝管部支持部材を積載し、かつ前記排水ヘッダーを床面に支持する支持架台とからなる構成としたので、排水ヘッダーおよび支持架台をユニットとして工場で組み立てることができ、配管現場では、複数個の合流排水管継手を組み合わせて排水ヘッダーを組む作業や、排水ヘッダー廻りの床面との支持部材の取り付け作業を省略することができ、このため、配管施工時間の短縮が図れて作業性が工場するという効果がある。
【００２４】
この発明によれば、支持架台によって排水ヘッダーの排水主管部の配管勾配を工場で予め設定することが可能となり、また、排水ヘッダーのコンクリートスラブ上面との設置高さの調整や、コンクリートスラブ上面の水平精度誤差についても簡単に調整することができるという効果がある。さらに、排水ヘッダーの排水枝管部の配管勾配についても、その排水枝管部を部材積載部上の排水枝管部支持部材に載せるだけで適正な勾配に設定でき、このため、配管施工する作業員は熟練を要することなく配管施工を簡単に能率よく行うことができ、施工時間の短縮が図れて作業性が工場するという効果がある。
【００２５】
この発明によれば、衛生器具の移設など水廻りの模様替えに際して、排水ヘッダーの排水枝管部の方向を回転させる必要が生じた場合には、その排水枝管部を今まで支持させていた排水枝管部支持部材とは反対側に位置する排水枝管部支持部材に載せるだけで適正な配管に設置でき、配管施工作業の大幅な効率化が図れるという効果がある。
【図面の簡単な説明】
【図１】この発明の実施の形態１による排水管ユニットを示す平面図である。
【図２】図１の側面図である。
【図３】図２の勾配調整部の拡大断面図である。
【図４】この発明の実施の形態２による排水管ユニットを示す平面図である。
【図５】図４の側面図である。
【図６】図４の勾配調整部の拡大断面図である。
【符号の説明】
１  合流排水管継手
１ａ  排水主管部
１ｂ  排水枝管部
２  排水ヘッダー
２ａ  ヘッダ軸線
３  支持架台
４  床面設置部
５  ジャッキ機構
６  部材積載部
７  排水主管部支持部材
８ａ，８ｂ  排水枝管部支持部材
【図１】
0004615163.tif 000002
【図２】
0004615163.tif 000003
【図３】
0004615163.tif 000004
【図４】
0004615163.tif 000005
【図５】
0004615163.tif 000006
【図６】
0004615163.tif 000007